Podtech/llm-jp-corpus-v4-ja_patent huggingface dataset:
(57)【要約】      （修正有）【課題】強度的に安定し、しかも防火性も十分に高い発電瓦を用いた発電瓦屋根を提供する。【解決手段】発電瓦屋根は、瓦葺屋根において、波状に湾曲した瓦本体１０１の上部に太陽光発電パネル２００をその表面（受光面）を除いて嵌合固定し、瓦本体間に太陽光発電パネルのプラス導電線２０１とマイナス導電線２０２用のコネクター２０３を設けた発電瓦により葺いてなる。【選択図】図１
0003226160.tif 000002
【実用新案登録請求の範囲】
【請求項１】
瓦葺屋根において、波状に湾曲した瓦本体の上部に太陽光発電パネルを嵌合固定し、前記瓦間に前記太陽光発電パネルのプラス導電線とマイナス導電線用のコネクターを設けた発電瓦により葺いてなることを特徴とする発電瓦屋根。
【考案の詳細な説明】
【技術分野】
【０００１】  本考案は、発電瓦屋根に関するものである。
【背景技術】
【０００２】  屋根瓦は、粘土などの無機材料により種々の形状に成形された防火性能の高い瓦として古来日本の屋根を美しく守ってきた。
近年、この瓦を利用しての発電瓦なるものが提案されてきたが、実用的に強度低下、屋根葺き施工上の困難性などの問題から実現が困難視されてきた。
公知の電気瓦としては板状の枠瓦に凹嵌部を設けて金属製の補強部材で補強し、該凹嵌部に太陽光発電パネルを嵌めて充填剤で固定した複雑構造体である。
【考案の概要】
【考案が解決しようとする課題】
【０００３】  本考案は、強度的に安定し、しかも防火性も高い簡単構成の発電瓦を用いた発電瓦屋根を提供する。
【課題を解決するための手段】
【０００４】  上記課題を満足させる本考案の発電瓦屋根における主な技術構成は、次の（１）の通りである。
（１）、瓦葺屋根において、波状に湾曲した瓦本体の上部に太陽光発電パネルをその表面（受光面）を除いて嵌合固定し、前記瓦本体間に前記太陽光発電パネルのプラス導電線とマイナス導電線用のコネクターを設けた発電瓦により葺いてなることを特徴とする発電瓦屋根。
【考案の効果】
【０００５】  本考案で言う湾曲した瓦本体とは、平面的に見て長方形の矩形であり、屋根の側方に向う一方の側部が緩やかな凸状に湾曲し、他方の側部が緩やかな凹状に湾曲させた波状のものであり、前記凸状の湾曲部は側方隣接の瓦本体の凹状部の上に被せ、下部縁は下方隣接の瓦本体の上部縁に被せて瓦葺きするタイプであり、耐圧強度に優れたものである。
また前記太陽光発電パネルは、前記瓦本体の成形時に上部に配列し成形材に一体的に埋設するものであり、強度的にも安定し特別な補強金属などは不要である。
さらに前記前記電気瓦を葺く際に同時に電気瓦間を前記コネクターで当該隣接瓦同士の前記太陽光発電パネルのプラス導電線とマイナス導電線をワンタッチで接続することを可能にしたものである。
【図面の簡単な説明】
【０００６】
【図１】（１）は本考案の実施例１の瓦葺き屋根の全体斜視図であり、（２）は（１）の円内部分の瓦葺き部を拡大した電気瓦葺き屋根部の拡大図である。
【考案を実施するための形態】
【０００７】  考案を実施するための形態を図１に示す実施例により詳細に説明する。
【実施例】
【０００８】  図１において、本例の瓦葺屋根１００は、波状（〜状）に湾曲した瓦本体１０１の上部に太陽光発電パネル２００の上面を除いて嵌合埋設し、前記瓦本体間１０１−１０１に前記太陽光発電パネル２００のプラス導電線２０１とマイナス導電線２０２用のコネクター２０３を設けた発電瓦１１０により葺いてなる。【０００９】  発電瓦１１０の瓦本体１０１は屋根の側方に向う一方の側部が緩やかな凸状に湾曲し、他方の側部が緩やかな凹状に湾曲させた波状に成形した瓦である。【００１０】  発電瓦１１０の葺き方は、前記凸状の湾曲部は側方隣接の瓦本体の凹状部の上に被せ、下部縁は下方隣接の瓦本体の上部縁に被せて瓦葺きする。【００１１】  前記太陽光発電パネル２００は分割して、前記発電瓦１１０の瓦本体１０１の上部に成形した凹嵌部に嵌合固定してあり、強度的にも安定している。
前記電気瓦１１０は、屋根葺きの際に同時に発電瓦２１０、２１０間を前記コネクター２０３で当該隣接同士の前記発電パネル２００のプラス導電線２０１とマイナス導電線２０２をワンタッチで接続することを可能にしたものである。
【産業上の利用可能性】
【００１２】  本考案は、前述の効果及び実施例に記載の通り優れた作用効果を呈して一般家庭における発電屋根の構築は勿論、瓦業界及び発電業界への寄与と発展に貢献すること多大なものがある。
【符号の説明】
【００１３】  １００：瓦葺屋根
１０１：瓦本体
１１０：発電瓦
２００：太陽光発電パネル
２０１：プラス導電線
２０２：マイナス導電線
２０３：コネクター
【図１】
0003226160.tif 000003
(57)【要約】      （修正有）【課題】ファイルブック体に収容された状態のままで、書き込みを行うことを可能とする紙片収容保持具を提供する。【解決手段】紙片収容保持具１は、中央部分に形成された折り線Ｐａで二つ折りすることが可能な紙片Ｐを収容し、紙片Ｐを開いた状態で保持可能であり、中央部分に形成された折り線１１ａで二つ折りする事が可能な台部１０と、台部１０に設けられ、折り線１１ａに沿って延びるひも部２０（例えば、ゴムひも）とを備え、紙片Ｐが台部１０とひも部２０との間に配置され、ひも部２０が、紙片Ｐの折り線上に配置される。【選択図】図１
0003226138.tif 000002
【実用新案登録請求の範囲】
【請求項１】
中央部分に形成された折り線で二つ折りすることが可能な紙片を収容し、紙片を開いた状態で保持可能な紙片収容保持であって、中央部分に形成された折り線で二つ折りすることが可能な台部と、台部に設けられ、折り線に沿って延びるひも部とを備え、紙片が台部とひも部との間に配置され、ひも部が紙片の折り線上に配置される紙片収容保持具。
【請求項２】
台部は、収容した紙片をはさみ、折り線が形成された本体と、本体に取り付けられ、本体の折り線に沿って延び、ひも部が係止される係止部とを備える請求項１に記載の収容保持具。
【請求項３】
ひも部が、台部の折り線と直交する方向に、複数配列されている請求項１または２に記載の紙片収容保持具。
【考案の詳細な説明】
【技術分野】
【０００１】
本考案は、紙片収容保持具に関する。
【背景技術】
【０００２】
従来、複数枚綴じ込んだファイルブックにおいて、文書等の収容物をファイル体に収容したままでの状態で加筆ができるクリアファイルブックが、特許文献１で提案されている。
【先行技術文献】
【特許文献】
【０００３】
【特許文献１】実用新案登録第3184301号
【考案の概要】
【考案が解決しようとする課題】
【０００４】
しかしながら、特許文献１のクリアファイルブックは、対角コーナー部に付着した帯状シート片によって、文書類を挿入してファイリングすることを特徴としているので、文書類等の紙片に書き込む自由度が制限されている。
【課題を解決するための手段】
【０００５】
本考案は、中央部分に形成された折り線で二つ折りすることが可能な紙片を収容し、紙片を開いた状態で保持可能な収容保持具であって、中央部分に形成された折り線で二つ折りする事が可能な台部と、台部に設けられ、折り線に沿って延びるひも部とを備え、紙片が台部とひも部との間に配置され、ひも部が、紙片の折り線上に配置される紙片収容保持具。
【０００６】
台部は、収容した紙片をはさみ、折り線が形成された本体と、本体に取り付けられ、本体の折り線に沿って延び、ひも部が係止される係止部とを備える請求項１に記載の収容保持具。
【０００７】
ひも部が、台部の折り線と直交する方向に、複数配列されている請求項１または２に記載の紙片収容保持具。
【考案の効果】
【０００８】
本考案によれば、紙片への書き込みの自由度を向上できる。
【図面の簡単な説明】
【０００９】
【図１】本考案の実施形態に係わる紙片収容具に書類を取り付けた状態を示す図である。
【図２】本考案の実施形態に係わる紙片収容具を示す図である。
【図３】本考案の実施形態に係わる紙片収容具の別例を示す図である。
【図４】本考案の実施形態に係わる紙片収容具の端部を示す図である。
【図５】本考案の実施形態に係わる紙片収容具の端部に段差を設けた図である。
【考案を実施するための形態】
【００１０】
紙片収容保持具１は、中央部分に形成された折り線Paで二つ折りすることが可能な紙片Pを収容し、紙片Pを開いた状態で保持可能であり、中央部分に形成された折り線１１aで二つ折りする事が可能な台部１０と、台部１０に設けられ、折り線１１aに沿って延びるひも部２０（例えば、ゴムひも）とを備え、紙片Pが台部１０とひも部２０との間に配置され、ひも部２０が、紙片Ｐの折り線１１a上に配置される。
【００１１】
図３に示すように、紙片収容具１の別例において、台部１０は、収容した紙片Ｐをはさみ、折り線１１aが形成された本体１１と、本体１１に取り付けられ、本体１１の折り線１１aに沿って延び、ひも部２０が係止される係止部１２とを備える。
【００１２】
図２又は図３に示すように、ひも部２０は、台部１０の折り線１１aと直交する方向に、複数配列されている。
【００１３】
図４は係止部１２の端部の断面図であり、紙片Ｐが例えば１枚又は数枚と少ない場合、図５は同じく係止部１２の端部の断面図あるが、紙片Ｐの枚数が多くなった場合、係止部１２とひも部２０との段差３０、隙間４０をもたせる事で、紙片が安定し、めくり易い効果がある。
【００１４】
本考案によれば、紙片Ｐへの書き込みの自由度が向上できる。
【００１５】
本考案の紙片収容具１、従来の袋状のもの、又特許文献１に有るような一部にも透明プラスチック状の素材を使用してるものと異なり、折り線１１aにそって延びるひも部２０が書類等を邪魔する事無く、修正・加筆が可能であるに加え、紙片Ｐに書かれた文章の内容が、反射光によって見えづらくなる不都合も起こらない。
【００１６】
また、特許文献１に用いられてる帯状シート片、のようなプラスチックシート材を使用してないため、近年ゴミ化で問題視されてるプラスチックの使用を抑えられるにも役立つ。
【００１７】
一般的書類、又音楽に於ける合唱・楽器演奏時の楽譜のファイリングに活用できる紙片収容具として提供できる。
【符号の説明】
【００１８】
１  紙片収容保持具
１０  台部
１１  本体
１１a折り線
１２  係止部
２０  ひも部
P    紙片
Pａ  紙片の折り線
３０  段差
４０  隙間
【図１】
0003226138.tif 000003
【図２】
0003226138.tif 000004
【図３】
0003226138.tif 000005
【図４】
0003226138.tif 000006
【図５】
0003226138.tif 000007
【手続補正書】
【提出日】令和2年2月28日(2020.2.28)
【手続補正１】
【補正対象書類名】実用新案登録請求の範囲
【補正対象項目名】全文
【補正方法】変更
【補正の内容】
【実用新案登録請求の範囲】
【請求項１】
中央部分に形成された折り線で二つ折りすることが可能な紙片を収容し、紙片を開いた状態で保持可能な紙片収容保持具であって、中央部分に形成された折り線で二つ折りすることが可能な台部と、台部に設けられ、折り線に沿って延びるひも部とを備え、紙片が台部とひも部との間に配置され、ひも部が紙片の折り線上に配置される紙片収容保持具。
【請求項２】
台部は、収容した紙片をはさみ、折り線が形成された本体と、本体に取り付けられ、本体の折り線に沿って延び、ひも部が係止される係止部とを備える請求項１に記載の紙片収容保持具。
【請求項３】
ひも部が、台部の折り線と直交する方向に、複数配列されている請求項１または２に記載の紙片収容保持具。
(57)【要約】      （修正有）【課題】ペットボトルを便利に携帯でき、ボトルを飲用に供するときにボトルからの取り外しにも便利な、ボトル本体に着脱可能なフックを提供する。【解決手段】ボトル本体に着脱可能なフック１であって、フックの上部に固定リング１０、下部にフック体１１があり、フックは弧状であり、ペットボトルの上部に取り付ける。フック体は密着部１１０を有し、末端には可動部１１１が延び、可動部を開いて容易にペットボトルのスペーシング部にぴったりとはめることが可能である。さらに、固定リングを利用して、ペットボトルを便利に携帯することができる。【選択図】図１
0003226177.tif 000002
【実用新案登録請求の範囲】
【請求項１】
ボトル本体に便利に着脱可能な、インサート成形された一種のフックであって、上部には固定リング、下部にはフック体があり、前記フック体には密着部と可動部があり、前記密着部の大きさはペットボトルのスペーシング部にかみ合うような大きさになっており、また前記密着部の末端には前記可動部が延びているフック。
【請求項２】
前記フック体の末端に延びている可動部にはプレス面が設けられている請求項１に記載のフック。
【請求項３】
前記固定リングは三角形或いは円形である請求項１に記載のフック。
【請求項４】
前記固定リングにバックルストラップを取り付けることができる請求項１に記載のフック。
【請求項５】
前記フック体の直径はペットボトルの首の部分の直径に相当し、前記フック体が開いたときの開口長さの最大値はボトルの首の部分の直径より小さいため、はめ込んだら外れることがない請求項１に記載のフック。
【考案の詳細な説明】
【技術分野】
【０００１】
本考案は、ボトル本体に便利に着脱可能なフックを提供するものである。特に、ペットボトルをフックに掛けることにより便利に携帯できるようにし、またペットボトルとの結合部分からの取り外しにも便利である。
【背景技術】
【０００２】
一般的なアウトドア活動、例えばウォーキングや登山、サイクリング、ベビーカーを押す等の場面では、ペットボトル或いはその他瓶状のものに水を入れ、水分補給をすることになる。瓶状のものに入れた水をバッグ内に入れることは可能だが、バッグを携帯していない場合、手でそれを持つしかないため、常に様々な不便が発生し、行動が制約される。
【考案の概要】
【考案が解決しようとする課題】
【０００３】
本考案の目的は、ボトルの便利な携帯方法と、ボトルを飲用に供するときにボトルからの取り外しにも便利な、ボトル本体に便利に着脱可能なフックを提供することである。
【課題を解決するための手段】
【０００４】
本考案は、ボトル本体に便利に着脱可能な、インサート成形（一体成形）された一種のフックであり、上部には固定リング、下部にはフック体がある。フック体には密着部と可動部があり、密着部の大きさはペットボトルのスペーシング部にかみ合うような大きさになっており、また密着部の末端には可動部が延びている。
【図面の簡単な説明】
【０００５】
【図１】本考案の第一実施形態によるフックを示す立体斜視図である。
【図２】本考案の第一実施形態によるフックの使用中の状態を示す斜視図（一）である。
【図３】本考案の第一実施形態によるフックの使用中の状態を示す斜視図（二）である。
【図４】本考案の第一実施形態によるフックの使用中の状態を示す斜視図（三）である。
【図５】本考案の第二実施形態によるフックを示す立体斜視図である。
【考案を実施するための形態】
【０００６】
まず、図１−５を参照する。本考案のフックは、主にインサート成形（一体成形）された一種のフック1であり、そのフック1の上部に固定リング10、下部にフック体11がある。その中の固定リング10は三角形或いは円形で、フック体11の上に密着部110と可動部111があり、その密着部110の大きさはペットボトルAとスペーシング部A0の下方にぴったりと取り付けることが可能な大きさになっている。また、フック体11の直径はペットボトルAの首の部分A1と似通っており、フック体1が開いたときの開口長さの最大値はボトルの首の部分A1の直径より小さいため、フック体11に外からの作用を受けないため、外れることなくペットボトルAを安定的に固定することが可能である。また、可動部111は、密着部110が外に向かって延びた突起であり、可動部111にはプレス面112がある。
【０００７】
使用する際、フック1のフック体11をペットボトルAのボトルの首の部分A1にはめ込むだけで、スペーシング部A0をフック体1の密着部110の上部にかみ合わせることができ、密着部110をペットボトルAのボトルの首の部分A1（図２を参照）にしっかりかみ合わせることができる。これにより、外出時のペットボトルAの携帯がさらに便利になる。
【０００８】
使用者が直接フック1のフック体11からペットボトルAを取り外して飲用したい場合、親指を可動部111のプレス面112の上に置き、フック1が開いている部分とは逆方向に押して移動させるだけで、フック1の密着部110がペットボトルAのボトルの首の部分A1から離れ、容易にペットボトルAを取り出すことができる。また、フック1の固定リング10にバックルストラップBを取り付ければ（図３を参照）、フック1はフックの無いベビーカーや自転車などでも使用することができ、使用者にとって更に便利なものとなる。
【符号の説明】
【０００９】
1    フック
10   固定リング
11   フック体
110  密着部
111  可動部
112  プレス面
A    ペットボトル
A0   スペーシング部
A1   ボトルの首の部分
B    バックルストラップ
【図１】
0003226177.tif 000003
【図２】
0003226177.tif 000004
【図３】
0003226177.tif 000005
【図４】
0003226177.tif 000006
【図５】
0003226177.tif 000007
(57)【要約】【課題】手摺付無端移送装置の手摺りベルトの手摺面を自動的に連続消毒・殺菌を可能にし細菌及びばい菌のキャリアーを皆無にする手摺付無端移送装置を提供する。【解決手段】手摺付無端移送装置において、手摺りベルトのリターン側で手摺りベルトの手摺り面に消毒用アルコールを付けるアルコール消毒装置及び／又は紫外線を照射する紫外線照射装置を設けたことを特徴とする手摺付無端移送装置。【選択図】図１
0003226161.tif 000002
【実用新案登録請求の範囲】
【請求項１】
手摺付無端移送装置において、手摺りベルトのリターン側に手摺りベルトの手摺り面に消毒用アルコールを付けるアルコール消毒装置及び／又は紫外線を照射する紫外線照射装置を設けたことを特徴とする手摺付無端移送装置。
【考案の詳細な説明】
【技術分野】
【０００１】  本考案は手摺ベルトの殺菌・消毒をする装置を備えた手摺付無端移送装置に関するものである。
【背景技術】
【０００２】  エスカレーターは、考案者のシーバーガーが１８５９年にラテン語の「Ｓｃａｌａ（階段）」とエレベーター（Ｅｌｅｖａｔｏｒ）を組み合わせて作った言葉ですが、その名のとおり階段状の昇降設備である。
一度に運ぶ人の数が限られるエレベーターに比べ、エスカレーターは連続して人を運べるため１時間に１２，０００人もの人達を昇降させることが可能です。
エスカレーターの構造は、人間の足を乗せる踏段（ステップ）を踏段チェーンで連結し、上部に設置した駆動機（モーター）と駆動チェーンで結び運転されている。手摺ベルトも同様に、手摺駆動ホイールとチェーンを介して動く仕組みになっている。【０００３】傾斜角度は３０度が主流であるが、３５度のタイプや途中に平らな踊り場があるものなどもある。
叉踏段（ステップ）面が平らな「トラベーター（動く歩道）」の傾斜角度も、水平のものだけでなく、緩やかな傾斜があるものもある。速度は分速３０ｍ（時速１．８ｋｍ）が主流である。もっと速く動くタイプや逆に遅く動くタイプもある。ほとんどのエスカレーターやトラベーターは速度が一定であるが速度が変えられるようになっているタイプもある。
【考案の概要】
【考案が解決しようとする課題】
【０００４】  前記したようにエレベーターやトラベーター等の手摺りベルト付きの手摺付無端移送装置は連続して不特定多数の人間を移動させるが、そのため手摺りベルトは、唯一露出している手で移動中握られており、細菌及びばい菌が付着している危険性がある。これが伝染する菌であれば手摺りベルトはそのキャリアーとなり多くの人間に感染させる重大な事態を招く結果となる。【０００５】  そこで本考案は、エスカレーターやトラベーター等の手摺付無端移送装置の手摺りベルトを自動的に消毒・殺菌を可能にする手摺付無端移送装置を提供する。
【課題を解決するための手段】
【０００６】  本考案は、前記課題を解決する技術的手段として次の（１）を特徴とするものである。
（１）、手摺付無端移送装置において、手摺りベルトのリターン側に、手摺りベルトの手摺り面に消毒用アルコールを付けるアルコール消毒装置及び／又は紫外線を照射する紫外線照射装置を設けたことを特徴とする手摺付無端移送装置。
本考案において手摺付無端移送装置とは手摺りベルト付きのエスカレーター又はトラベーターを言う。
【考案の効果】
【０００７】  本考案の手摺りベルト付きの手摺付無端移送装置は、連続して不特定多数の人間を移動させて手摺ベルトが、唯一露出している手で握られて細菌及びばい菌が付着していても手摺りベルトのリターン側で前記アルコール消毒装置及び／又は紫外線照射装置により連続して手摺りベルトの手摺り面を自動的に消毒・殺菌をして、手摺りベルトをキャリアーとすることなく多くの人間に感染させることを未然に防止する優れた作用効果を呈するものである。
叉、手摺りベルトのリターン側には前記アルコール消毒装置又は紫外線照射装置或いはアルコール消毒装置及び紫外線照射装置を設置しているので人の搬送には何ら支障なく安全に手摺りベルトを消毒・殺菌することを可能にしたものである。
【図面の簡単な説明】
【０００８】
【図１】本考案の実施例１の
【考案を実施するための態様】
【０００９】  本考案の手摺りベルト付きの手摺付無端移送装置の実施態様は、図１に示す実施例により詳細に説明する。
【実施例】
【００１０】  本考案の実施例を図１にて紹介する。
本実施例の手摺りベルト付きの手摺付無端移送装置は、デパートなどにおける階段式の上昇移動機１０１と下降移動１０２機の二蓮式のエスカレーター１００である。
エスカレーター１００の両移動機１０１、１０２は、共に両サイドに手摺りベルト１０１−１、１０１−２、１０２−１，１０２−２を設けてあり、これら手摺りベルトは、透明な強化プラスチック製のガイドレール装置１１１により摺動自在に支持されている。
また前記手摺りベルト１０１−１、１０１−２、１０２−１，１０２−２はリターン側１００ＲＴに駆動ホイール（省略）を配置してある。
このリターン側１００ＲＴに、アルコール消毒装置２００と紫外線照射装置３００を各々設置してある。【００１１】  アルコール消毒装置２００は、タンク２０１からの消毒用アルコールを各手摺りベルト１０１−１、１０１−２、１０２−１，１０２−２の各手摺面に噴射ノズル２０３（一個しか図示していないが）から噴霧消毒する。
制御器２０４はエスカレーター１００の稼働に連動して自動的に自動開閉調節弁２０２を制御して各噴射ノズル２０３からの噴霧時間と噴射量を制御する。
合わせて紫外線を照射する紫外線照射装置３００はアルコール消毒装置２００と連動してリターン側１００ＲＴの各手摺りベルト１０１−１、１０１−２、１０２−１，１０２−２の下方に添って配列位置して手摺面に紫外線を照射して付着している細菌やばい菌を滅菌・殺傷する。
尚、各噴射ノズル２０３の前に転写ロールや転写布巾などを介して当該手摺面にアルコールを付けても良い。
これでエスカレーター１００の手摺をそのリターン側１００ＲＴで人に影響させることなく安全に自動的に連続消毒・殺菌をして、細菌及びばい菌のキャリアーを皆無にするのである。
【産業上の利用可能性】
【００１２】  本考案の手摺りベルト付きの手摺付無端移送装置は、前記の優れた作用効果を呈するものであり、社会的に病原菌のキャリアーを無くし、飛行場業界、電車駅業界、デパート業界、病院業界、ビル管理業界等手摺りベルト付きの手摺付無端移送装置を採用している全ての業界に貢献すること多大なものがある。
【符号の説明】
【００１３】１００：二蓮式のエスカレーター
１０１：上昇移動機
１０２：下降移動機
１０１−１、１０１−２、１０２−１，１０２−２：手摺りベルト
１１１：ガイドレール装置
１００ＲＴ：リターン側
２００：アルコール消毒装置
２０１：タンク
２０２：自動開閉調節弁
２０４：制御器
２０３：噴射ノズル
３００：紫外線照射装置
【図１】
0003226161.tif 000003
(57)【要約】      （修正有）【課題】屋根や屋上に設置した太陽光発電パネルを覆うことにより、台風や強風や地震からの飛散を防止することが可能になる太陽光発電パネルの飛散防止装置を提供する。【解決手段】ワイヤー２を太陽光発電パネル設置屋根や屋上の大きさに合わせて、太陽光発電パネル１の上からネットのように縦横に被せ、屋根や壁などに固定したリングにフックとターンバックルで引っ掛け、固定する。【選択図】図１
0003226430.tif 000002
【実用新案登録請求の範囲】
【請求項１】
屋根に覆ったワイヤーの片方にフック、もう片方にターンバックルをつけて、建物の屋根や壁に固定したリングに前記のフックとターンバックルでワイヤーを引っ張って固定することを特徴とする太陽光発電パネルの飛散防止装置。
【考案の詳細な説明】
【技術分野】
【０００１】
本考案は、太陽光発電パネルの飛散防止装置に関するものである。
【考案の概要】
【考案が解決しようとする課題】
【０００２】
屋根や屋上に設置した太陽光発電パネルは、台風や強風や地震といった自然災害から飛散することが多く、飛散した太陽光発電パネルの回収や修理や取替といった物理的被害による費用や、怪我や傷害といった人的被害による損害賠償といった経済的負担も大きくなる。従って、ワイヤーを太陽光発電パネルの上から縦横に被せ、屋根や壁などに固定したリングにフックやターンバックルで引っ掛けて、太陽光発電パネルを覆うことにより、台風や強風や地震からの飛散を防止することが可能になり、前述の欠点を解決しようとするものである。
【課題を解決するための手段】
【０００３】
本考案は、ワイヤーを太陽光発電パネル設置屋根や屋上の大きさに合わせて、太陽光発電パネルの上からネットのように縦横に被せ、屋根や壁などに固定したリングにフックとターンバックルで引っ掛け、固定することで、台風や強風や地震の際に太陽光発電パネルが飛散する事を防止することができ、問題点を解決している。
【０００４】
上述の様に、台風や強風や地震の被害にあった後でも、太陽光発電パネルの飛散の再発防止や２次被害への防止への安全性も高まる。
【図面の簡単な説明】
【０００５】
【図１】本考案の太陽光発電パネルの飛散防止装置を屋根にとりつけた際の斜視図である。
【図２】本考案の太陽光発電パネルの飛散防止装置のワイヤーをフックでリングに引っ掛ける部分の側面図である。
【図３】本考案の太陽光発電パネルの飛散防止装置のワイヤーをターンバックルでリングに引っ掛ける部分の側面図である。
【図４】本考案の太陽光発電パネルを屋根にとりつけた際の斜視図である。
【符号の説明】
【０００６】
１    太陽光発電パネル
２    ワイヤー
３    フック
４    リング
５    建物の壁
６    ターンバックル
【図１】
0003226430.tif 000003
【図２】
0003226430.tif 000004
【図３】
0003226430.tif 000005
【図４】
0003226430.tif 000006
(57)【要約】      （修正有）【課題】徳利や盃などの酒器具において、器具の内部に収容した加熱酒又は冷酒が収容されたままの温度状態を長時間保持することができるものを提供する。【解決手段】任意の立体形状からなる金属製の徳利体１が適当間隔の中空部４をはさんで内板材２と外板材とから構成されている。また立体形状からなる金属製の盃体が適当間隔の中空部をはさんで内板材と外板材とから構成されている。【選択図】図１
0003226489.tif 000002
【実用新案登録請求の範囲】
【請求項１】
任意の立体形状になる金属製の器体が適当間隔の中空部をはさんで内板材と外板材とから構成されていることを特徴とする徳利。
【請求項２】
任意の立体形状になる金属製の器体が適当間隔の中空部をはさんで内板材と外板材とから構成されていることを特徴とする盃。
【考案の詳細な説明】
【技術分野】
【０００１】
本考案は、徳利や盃などの酒器具に関するものである。
【背景技術】
【０００２】
本考案者は、ラーメン等の麺類用のどんぶりに関する考案についての実用新案権を取得しているところ、実用新案登録第３１５６７９４号公報におけるものは、所定の大きさになる金属製の容器体が中空部をはさんで内器板材と外器板材から成るどんぶりである。
【先行技術文献】
【特許文献】
【０００３】
【特許文献１】実用新案登録３１５６７９４号公報
【考案の概要】
【考案が解決しようとする課題】
【０００４】
そこで、本考案は、特許文献１の製作技術を応用し、徳利や盃などの酒器具の製作に熔接技術を改良して提供することを目的とするものである。
【課題を解決するための手段】
【０００５】
本考案は、任意の立体形状になる金属製の器体が適当間隔の中空部をはさんで内板材と外板材とから構成されている徳利であり、盃である酒器具である。
【考案の効果】
【０００６】
本考案に係る徳利や盃は、前記のような構造から成る物品であるから、高温度に加熱した熱燗の酒を徳利に収納した際には、内外両板間の中空部内の空気層によって外気と遮断されるから、徳利内部に収納された酒は熱燗状態のまま保持されるようになることによって、熱燗状態のままの酒を人は飲用することができるのである。
【０００７】
同様の熱現象は盃においても発揮されるから、人は熱燗状態のままの酒を飲むことができるようになるのである。
【０００８】
また、本酒器具を使用すれば冷酒保護も可能であるから、季節を問わず効果的な器具を提供することができるのである。
【図面の簡単な説明】
【０００９】
【図１】１合徳利についての半裁正面図
【図２】２合徳利についての半裁正面図
【図３】盃についての半裁正面図
【考案を実施するための形態】
【００１０】
立体形状に成る金属製の器体は、徳利体であっても盃体であっても、その内板材も外板材もいずれもステンレス鋼板を成型して成り、両板材は中間に適当巾の中空部をはさんで器体を形成し、その周縁部適所を熔接した後は、器体全体を美麗に研磨仕上げするものである。
【００１１】
また、必要に応じて、外板材と内板材とを合体した器体表面部には、全面を着色したり模様を表現したりすることもある。
【実施例１】
【００１２】
図１及び図２は徳利についての実施例を示し、ここでは、２合用と１合用との２例について示しているが、現実には１．５合用もある。
【００１３】
１は任意の立体形状に成る金属製の徳利体で、この徳利体は内板材２と外板材３との中空間にはその底面部に及んで適当巾空間の中空部４を形成する。使用する金属材はステンレス鋼とする。
【００１４】
５・・は前記内板材２と外板材３とにはさまれた適当巾空間の中空部４の適所に施した熔接部であり、１．５合用と２合用とでは熔接部数は３箇所あるが、１合用には２箇所しかない。
【００１５】
６は首部である。
【実施例２】
【００１６】
図３は盃についての実施例を示す。
【００１７】
７は任意の立体形状に成る金属製の盃体で、この盃体は内板材８と外板材９との中間にはその底面部に及んで適当巾空間の中空部１０を形成する。金属材はステンレス鋼とする。
【００１８】
１１は内板材８と外板材９との両頂端部における熔接部である。
【符号の説明】
【００１９】
１                          徳利体
２                          内板材
３                          外板材
４                          中空部
５・・                      熔接部
６                          首部
７                          盃体
８                          内板材
９                          外板材
１０                        中空部
１１                        熔接部
【図１】
0003226489.tif 000003
【図２】
0003226489.tif 000004
【図３】
0003226489.tif 000005
(57)【要約】      （修正有）【課題】電極や電解液の酸化劣化を抑制し、蓄電池の寿命を延長できる金属テープを提供する。【解決手段】３２〜３８テラヘルツの共鳴電磁波を２時間以上、２０℃〜９０℃の温度条件下で、アルミニュームやステンレススチールや銅やチタン等の自由電子を多く含む金属性テープに照射することで、金属テープ８を、共鳴電磁波９の転写放射体とする。この金属テープを蓄電池に装着することで、電解液２の水素結合を分断し水素イオン６や電子７を放出させ、電極３、４や電解液の酸化劣化を抑制することで蓄電池の寿命を延長し機能を改善する。【選択図】図１
0003226500.tif 000002
【実用新案登録請求の範囲】
【請求項１】
３２〜３８テラヘルツの共鳴電磁波を２時間以上、２０℃〜９０℃の温度条件下で、アルミニュームやステンレススチールや銅やチタン等の自由電子を多く含む金属性テープに照射することで、当該金属テープを、当該共鳴電磁波の転写放射体とすることを特徴とする蓄電池の寿命延長および機能改善用金属テープ。
【考案の詳細な説明】
【技術分野】
【０００１】  本考案は、３２〜３８テラヘルツの共鳴電磁波の転写発振体であるアルミニュームやステンレススティールや銅やチタン等の自由電子を多く含む金属テープを蓄電池に装着することにより蓄電池の寿命を延長し、蓄電池の機能を改善することができる蓄電池の寿命延長及び機能改善用金属テープを提供する。
【背景技術】
【０００２】  従来、鉛蓄電池の寿命を延長するために、電解液にサルフェーションを抑制する効果のある物質を添加する方法が提案されている。【０００３】  また、放射線領域の電磁波を放射する物質を蓄電池の電極部にとりつけることにより活物質を活性化することで充電効率を改善し、蓄電池を長寿命化する装置も提案されている。
【特許文献１】特開２００８−８４８０４
【特許文献２】特開平８−１６２１４７
【課題を解決するための手段】
【０００４】  電極で活物質を反応させたり、電解質を溶解した電解液中で、イオンを電極間で移動させる等のいろいろな種類の蓄電池があるが、基本的には、金属のイオン化傾向による酸化還元反応を利用して充放電している。
【０００５】  もっとも多く使用されている鉛蓄電池は、サルフェーション現象により、負極に酸化鉛の硬い塊が付着し、負極の表面積が低下したり、陽極の二酸化鉛が脱落して、充放電効率が低下する。
【０００６】  またどのようなタイプの蓄電池でも、長期間使用すると、電極や電解液が酸化劣化し、充放電効率が劣化するという問題がある。
【考案の効果】
【０００７】  このような課題を解決するために本考案者は、３２〜３８テラヘルツの共鳴電磁波が、共振作用で、水を含めたいろいろな物質の水素結合を分離したり、電子の散乱を円滑にすることを発見し、本考案をなすに至った。
【０００８】  本考案では、３２〜３８テラヘルツの共鳴電磁波により電解液の水素結合を分断し、水素イオンと電子を、電解液に放出することで、充電時間を短縮することができる。
【０００９】  また、本考案の寿命延長及び機能改善用金属テープを蓄電池に装着して充放電を繰り返して行うと、サルフェーションのような電極の劣化や、電解液中の活物質の酸化劣化を抑制し、有効放電量を大きくするとともに蓄電池寿命を延長することができる。
【００１０】  本考案によれば、３２〜３８テラヘルツの共鳴電磁波の転写発振体である蓄電池の寿命延長及び機能改善用金属テープを蓄電池に装着するだけで、低コストで容易に蓄電池の寿命を延長し機能を改善することができる。
【００１１】  本考案による蓄電池の寿命延長および機能改善金属テープを蓄電池のケースに取り付けると、当該金属テープから放出される３２〜３８テラヘルツの共鳴電磁波が、電解液の水素結合を分離し、水素イオンと電子を電解液に放出する。
【００１２】  電解液に放出される水素イオンと電子は、蓄電池の充電中は、充電時間の短縮の作用をし、放電時は放電時間または使用時間の延長の作用をする。
【００１３】  また、水素イオンの分離で放出される電子は、還元効果で電極に付着した酸化物質を還元化したり、電解液の電解質の酸化劣化を抑制する。
【考案を実施するための形態】
【００１４】  以下、本考案の実施形態について図面を参照しながら詳細に説明する。
図１は、本考案の蓄電池の寿命延長及び機能改善用金属テープの充電作用概念の縦断面を示す。
図２は、本考案の蓄電池の寿命延長及び機能改善用金属テープの放電作用概念の縦断面を示す。
【００１５】  図１に示すように、本考案の蓄電池の寿命延長および機能改善用金属テープ８を、蓄電池の本体ケース１に装着する。
【００１６】  当該金属テープ８は、アルミニュームやステンレススチールやチタンや銅等の自由電子の多く含まれる金属を主として使用し、テープ状の共鳴電磁波転写体にし、蓄電池ケース１に取り付ける方法が簡便である。その他３２〜３８テラヘルツの共鳴電磁波９を放射するセラミックや鉱石を使用することも可能である。
【００１７】  当該金属テープ８から、３２〜３８テラヘルツの共鳴電磁波９が放射され、電解液２の水素結合が分断され、陽イオン６と電子７が電解液に放出されることにより充電作業中は充電を補助し、充電時間を短縮するとともに充電に必要な供給電力を削減する。
【００１８】  また、負荷に給電するための放電作業中は、電解液２に放出された陽イオン６と電子７は、放電時間または使用時間を長くする。
【００１９】  また、水素結合の分離で放出される電子７は、還元効果で電極に付着した酸化物質を還元したり、電解液２の電解質の酸化劣化を抑制し、蓄電池寿命を延長する。
【００２０】  また、本考案の蓄電池の寿命延長および機能改善用金属テープ８は蓄電池に充電する電気を、電子の散乱を抑制することで改質することができ、蓄電池から放出される電気の熱振動による抵抗を減少させることができるとともに、有害電磁波障害を抑制できる。
【実施例】
【００２１】  リチュームイオン電池を装着した充電式掃除機の蓄電池に本考案の蓄電池の寿命延長および機能改善金属テープを取り付けたところ、充電時間が短縮され、使用時間が３０％以上延びることが確認された。【００２２】  また、リチュームイオン電池を装着したタブレット型端末機の蓄電池に本考案の金属テープを取り付けて充電したところ、放電時間が約１５％延びることが確認できた。
【産業上の利用可能な分野】
【００２３】  本考案は、電気自動車の普及や再生可能エネルギの普及やスマートグリッドの普及に必要不可欠な要素となる蓄電池の充放電効率を高め、蓄電池寿命を延長することができるため、それらの普及に大変貢献できる。
【図面の簡単な説明】
【００２４】
【図１】本考案の蓄電池の寿命延長および機能改善用金属テープの充電作用概念の縦断面を示す。
【図２】本考案の蓄電池の寿命延長および機能改善用金属テープの放電作用概念の縦断面を示す。
【符号の説明】
【００２５】  １  本体ケース
２  電解液
３  陽極
４  陰極
５  電源
６  活物質陽イオン
７  電子
８  蓄電池の寿命延長および機能改善用金属テープ
９  共鳴電磁波
１０  負荷
【図１】
0003226500.tif 000003
【図２】
0003226500.tif 000004
(57)【要約】      （修正有）【課題】抗菌・抗ウイルス・消臭加工することで、公共の場における衛生を向上するマイクカバーを提供する。【解決手段】抗菌・抗ウイルス・消臭加工を施しているナノファイバー不織布１で作られたマイクカバーであって、菌やウイルスを捕捉し、かつ唾液による臭いの発生も防ぐ。カバー下部にゴムを付けることにより、簡単かつ衛生的に脱着でき、多くの人がマイクを使用する場でも、菌やウイルスの蔓延を防ぎ、安心して使用でき、衛生環境の向上に役立つ。【選択図】図３
0003226407.tif 000002
【実用新案登録請求の範囲】
【請求項１】
抗菌・抗ウイルス・消臭加工を施したナノファイバー不織布を使用しているため、マイクヘッド本体への菌やウイルスの侵入を防ぎ、カバーに付着した菌やウイルスは不活性化させ、カバーの下部に細いゴムを取り付けることにより外れにくく、脱着し易くした、公共の場による衛生の向上を目的とした使い捨てマイクカバー
【考案の詳細な説明】
【技術分野】
【０００１】  本考案は抗菌・抗ウイルス・消臭加工済みのナノファイバー不織布を使用し、本体下部にゴムを取り付けたマイクカバーに関するものである。
【背景技術】
【０００２】  カラオケ、公共施設、学校等においてマイクを使用する場合、マイクカバー等を着けず使用していた。
【先行技術文献】
【特許文献】
【０００３】
【特許文献１】実用新案登録第３１１０１５５号（Ｕ３１１０１５５）公報
【考案の概要】
【考案が解決しようとする課題】
【０００４】  カラオケ、公共施設、学校等でマイクを使用する際は１人では無く不特定多数の人がマイクを共有することがあり、ウイルスや菌がマイクヘッドに付着し、蔓延してしまう可能性がある。また、唾液等による臭いが発生することがある。
【課題を解決するための手段】
【０００５】  本考案では、本体の素材を、繊維の細いナノファイバー不織布を使用することにより、菌やウイルスを捕捉しマイクヘッドへの侵入を防ぎ、素材に抗菌・抗ウイルス・消臭加工を施すことで、マイクカバーに付着した菌やウイルスを不活性化させ、ウイルスや菌の蔓延を防ぎ、臭いの発生も同時に防ぐことを可能にすることで問題点を解決している。
【考案の効果】
【０００６】  上述のように、本考案のマイクカバーは本体の素材自体に、抗菌・抗ウイルス・消臭加工を施すことにより、従来のマイクカバーよりも長時間効果を持続可能である。【０００７】  しかも、ナノファイバー不織布を使用することにより、通気効率を上げ、マイクの音や使用感に影響を及ぼさず快適に使用できるため、マイクの使用に際する衛生の向上に役立つ。
【図面の簡単な説明】
【０００８】
【図１】本考案マイクカバーの使用前収納図である。
【図２】本考案マイクカバーの取り付け工程図である。
【図３】本考案マイクカバーの実施例を表す正面図である。
【考案を実施するための形態】
【０００９】ＯＰＰからマイクカバー本体を取り出し、ゴム部分を指で広げる。マイクヘッド本体に不織布部分を密着させ、ゴム部分をマイクヘッド下部まで押し広げるように装着する。
【実施例】
【００１０】以下、添付図面に従って一実施例を説明する。図１のように▲１▼マイクカバー本体を▲３▼ＯＰＰ袋に入れておくことで、マイクカバーを衛生的に保存できるようにする。また、マイクカバー使用後、処分する際にもＯＰＰ袋に入れて廃棄することにより、他者が使用後のカバー本体に触れることを防ぐ。【００１１】図２では、カバー本体の▲２▼ゴム部分を、使用者の▲４▼手で広げ、▲１▼ナノファイバー不織布部分を先に▲３▼マイクヘッドに着ける。その後、ゴム部分をマイクヘッド下部まで押し広げながら着けることで、マイクヘッドに触れることなく簡単に、かつ衛生的に装着できる。【００１２】図３は、本考案の使用時である。▲１▼ナノファイバー不織布マイクカバーが、▲３▼マイクヘッドに密着することにより菌やウイルス、唾液を捕捉するが、空気は通すため、マイクの音や使用感に影響を及ぼさない。
また、▲２▼ゴムがあることにより、▲４▼マイク持ち手部分を持って使用する際、長時間の使用でもマイクカバーのズレや外れることを防ぐことできる。
【産業上の利用可能性】
【００１３】カラオケ店、公共施設、学校など、不特定多数の人がマイクを共有する可能性の高い場所での普及が考えられる。
【符号の説明】
【００１４】▲１▼ナノファイバー不織布マイクカバー本体
▲２▼ゴム
▲３▼ＯＰＰ袋
▲４▼マイクヘッド
▲５▼手
▲６▼マイク持ち手部分
【図１】
0003226407.tif 000003
【図２】
0003226407.tif 000004
【図３】
0003226407.tif 000005
(57)【要約】      （修正有） 【課題】フィルター（花粉、臭気、ウイルス等を吸着可能なシート等）を挿入出来、フィルターを交換する事により複数回の使用を可能とするマスクを提供する。【解決手段】顔に装着されるマスクであって、外部に面する布状態である外体と顔に面する布状態である内体２０と、を備え、内体は、内部空間を形成した状態で、外体に取り付けられており、挿入口２１から内部空間にフィルター３０を挿入可能である。【選択図】図２
0003226404.tif 000002
【実用新案登録請求の範囲】
【請求項１】
顔に装着されるマスクであって、外部に面する布状態である外体と顔に面する布状態である内体と、を備え、内体は、内部空間を形成した状態で、外体に取り付けられており、内部空間にはフィルターを挿入可能なマスク。 
【考案の詳細な説明】
【技術分野】
【０００１】
本考案は使用者に着用されるマスクに関する。
【背景技術】
【０００２】
風邪予防・花粉症対策と臭気・乾燥から呼吸器を守るマスクが知られている。
【考案の概要】
【考案が解決しようとする課題】
【０００３】
スギ等の花粉・排気ガス・紫煙・細菌・乾燥等から呼吸器を守るマスクは一般的に使い捨てであり、複数回使用するには抵抗がある。
【課題を解決するための手段】
【０００４】
顔に装着されるマスクであって、外部に面する布状態である外体と顔に面する布状態である内体と、を備え、内体は、内部空間を形成した状態で、外体に取り付けられており、内部空間にはフィルターを挿入可能なマスク。 
【考案の効果】
【０００５】
本考案によればフィルター（花粉、臭気、ウイルス等を吸着可能なシート等）を挿入出来、フィルターを交換する事により複数回の使用が可能となる。
【図面の簡単な説明】
【０００６】
【図１】本考案の形態に係るマスクを外側から見た図である。
【図２】本考案の形態に係るマスクを顔側から見た図である。
【考案を実施するための形態】
【０００７】
顔に装着されるマスク1であって、外部に面する布状態である外体10と顔に面する布状態である内体20と、を備え、内体は、内部空間を形成した状態で、外体に取り付けられており、内部空間にはフィルター30を挿入可能なマスク。 
【０００８】
本実施形態によれば使い捨てではなく頻回の洗濯が出来るエコとなる。
【符号の説明】
【０００９】
１マスク本体
１０外体（表面）
２０内体（裏面）
２１フィルター挿入口
３０フィルター
【図１】
0003226404.tif 000003
【図２】
0003226404.tif 000004
(57)【要約】      （修正有）【課題】電気掃除機に組み込みのブラシを有するアタッチメントにおいて、階段などの踏み板の隅角部をも掃除可能にするブラシアタッチメントを提供する。【解決手段】ブラシ３−１の分布形状を６０度またはそれ以下の角度に配置したブラシアタッチメントを作成・使用し、掃除したい領域をこのブラシで掃引することにより、隅角部の形状が６０度、９０度、１２０度の隅角部はもちろん、１８０度の平坦部なども含め、ブラシの全体形状の角度以上の開き角度部を掃引し掃除することができる。【選択図】図３
0003226414.tif 000002
【実用新案登録請求の範囲】
【請求項１】
電気掃除機に用いる，ブラシとブラシ固定部品からなるブラシアタッチメントにおいて，ブラシ先端側から見たブラシの分布形状を60度またはそれ以下の角度に配置したブラシアタッチメント．
【考案の詳細な説明】
【技術分野】
【０００１】
本考案は，電気掃除機による掃除範囲のうち，階段などの踏み板の隅角部をも掃除可能にする，ブラシアタッチメントに関するものである．
【背景技術】
【０００２】
電気掃除機に組み込みのブラシを有するアタッチメントにおいて，又は吸引パイプに差し込む部品としてのブラシを有するアタッチメントにおいて，ブラシに垂直な断面におけるブラシ全体の分布形状には，円弧形状のものがある．この円弧形状のブラシアタッチメントでは，階段などの踏み板における隅角部の形状（：角度）が，60度，90度，120度の場合があるので，隅角部にブラシが掃引できない領域が存在し，ゴミが残るという問題がある．
【先行技術文献】
【特許文献】
【０００３】
【特許文献１】不明です．
【非特許文献】
【０００４】
【非特許文献１】不明です．
【考案の概要】
【考案が解決しようとする課題】
【０００５】
背景技術（0002）に述べた，踏み板における隅角部にゴミが残るのは，ブラシの分布形状が円弧であり，隅角部においてブラシが掃引できない領域が存在することによるものである．そこで，ブラシを適切な角度に配置したブラシアタッチメント(:ブラシ+固定部品)を用いることにより，前述の問題を解決しようとするものである．
【課題を解決するための手段】
【０００６】
背景技術(0002)および課題(0005)に述べたように，ブラシの分布形状が円弧であることにより，隅角部の一部に掃引できない領域が存在しゴミが残るので，ブラシの分布形状を60度またはそれ以下の角度に配置したブラシアタッチメントを作成・使用することにより，前述の問題点を解決する．
【考案の効果】
【０００７】
手段(0006)に述べたように，ブラシの分布形状を60度またはそれ以下の角度に配置したブラシアタッチメントを使用し，掃除したい領域をこのブラシで掃引することにより，隅角部の形状が60度，90度，120度の隅角部はもちろん，180度の平坦部なども含め，ブラシの全体形状の角度以上の開き角度部を掃引し掃除することができるので，隅角部のゴミが残らないようにできる．
【図面の簡単な説明】
【０００８】
【図１】階段の踏み板の隅角部角度の例(60度，90度，120度)である．
【図２】ブラシの分布形状が円弧のブラシアタッチメント(:ブラシ+固定部品)である．
【図３】ブラシの分布を60度の角度に配置したブラシアタッチメント(:ブラシ+固定部品)である．
【図４】角度60度で配置したブラシアタッチメントによる階段踏み板の隅角部の掃除の例である．
【考案を実施するための形態】
【０００９】
図3に示すように，角度60度のブラシアタッチメントおよびこれに固定したブラシを用いる場合について説明する．図4中の(4-1)近くの角度90度の隅角部に対しては，ブラシアタッチメントを図4中の(4-1)に示すように位置させ，(1-3)(1-2)に沿って掃引すれば，隅角部のゴミを残さずに掃除できる．120度の隅角部に対しては，ブラシアタッチメントを図4中の(4-2)に示すように位置させ，(1-2)(1-4)に沿って掃引すれば，隅角部のゴミを残さずに掃除できる．60度の隅角部に対しては，ブラシアタッチメントを図4中の(4-3)に示すように位置させ，(1-4)(1-5)に沿って掃引すれば，隅角部のゴミを残さずに掃除できる．また，角度180度の平坦部に対しては，ブラシアタッチメントの(角度60度の)中央面を(1-2)に垂直又は適切な角度で接触させて，(1-2)に沿って図4中で横方向に掃引すれば，前方の立て板(1-2)と踏み板(1-1)の交叉部のゴミを残さずに掃除できる．
【実施例】
【００１０】
図2に示したブラシの分布形状が円弧のブラシアタッチメントを組み込んだ電気掃除機が見られるが，それに替えて，図3に示した，ブラシの分布を60度に配置したブラシアタッチメントを，電気掃除機に組み込むことにより，60度，90度，120度などの階段踏み板の隅角部の掃除をブラシを60度に配置したブラシアタッチメントのみで実行できる．
【産業上の利用可能性】
【００１１】
ブラシアタッチメントを電気掃除機に組み込む場合だけでなく，電気掃除機の吸引パイプに差し込む部品として用いる場合においても，図3の構造のブラシアタッチメントとして利用できる．
【符号の説明】
【００１２】
1-1  （階段の）踏み板
1-2  前方の立て板
1-3  左側の立て板
1-4  右側の立て板の表面
1-5  右後側の立て板
2-1  (円弧形状のブラシアタッチメントの)ブラシ
2-2  (同上2-1の)固定部品
3-1  (60度の角度に配置したブラシアタッチメントの)ブラシ
3-2  (同上3-1の)固定部品
4-1  (90度の隅角部における)ブラシアタッチメント(:ブラシ+固定部品)
4-1-1  (同上4-1における)60度の角度に配置したブラシ
4-1-2  (同上4-1におけるブラシの)固定部品
4-1-3  (同上4-1における)ブラシアタッチメントの掃引
4-2  (120度の隅角部における)ブラシアタッチメント(:ブラシ+固定部品)
4-3  (60度の隅角部における)ブラシアタッチメント(:ブラシ+固定部品)
【図１】
0003226414.tif 000003
【図２】
0003226414.tif 000004
【図３】
0003226414.tif 000005
【図４】
0003226414.tif 000006